(57)【要約】【課題】暖房時において、室内の窓から生じる冷気を緩和して快適な暖房を行うことができる空気調和機を提供する。【解決手段】本発明に係る空気調和機１ｃは、輻射部５ｃと、送風部２とを備える。輻射部５ｃは、室内Ｒの窓ＷＤ近傍に略鉛直方向に延設され、温かい第１空気が流れる内部空間ＰＳを有し、輻射によって室内Ｒの暖房を行う。送風部２は、輻射部５ｃの内部空間ＰＳへと第１空気を送る。また、輻射部５ｃは、少なくとも一部が所定の輻射率を有する繊維系材料によって形成されており、繊維系材料によって形成され略鉛直方向に延び所定の間隔を隔てて並設された複数の凸部５９を表面に有する。【選択図】図８
2008139016.tif 000002
【特許請求の範囲】
【請求項１】
室内（Ｒ）の窓（ＷＤ）近傍に略鉛直方向に延設され、温かい第１空気が流れる内部空間（ＰＳ）を有し、輻射によって前記室内（Ｒ）の暖房を行う輻射部（５ｃ）と、
前記輻射部（５ｃ）の前記内部空間（ＰＳ）へと前記第１空気を送る送風部（２）と、
を備え、
前記輻射部（５ｃ）は、少なくとも一部が所定の輻射率を有する繊維系材料によって形成されており、前記繊維系材料によって形成され略鉛直方向に延び所定の間隔を隔てて並設された複数の凸部（５９）を表面に有する、
空気調和機（１ｃ）。
【請求項２】
前記凸部は、前記輻射部（５ｃ）の窓側と室内側との両面に設けられる、
請求項１に記載の空気調和機（１ｃ）。
【発明の詳細な説明】
【技術分野】
【０００１】
本発明は、空気調和機に関する。
【背景技術】
【０００２】
吹出しダクトを備える空気調和機が室内の空気調和によく利用されている。この空気調和機では、温かい空気が吹出しダクトによって案内され室内へと吹き出ることによって、室内の暖房が行われる。しかし、暖房時の温かい空気は室内の上方に滞留し易いため、室内の居住者等の足元を十分に温めることは困難である。そこで、従来、室内の側壁上部に設けられた温風発生器から下方向けて形成された吹出しダクト（温風誘導体）を備える空気調和機が案出され開示されている。（特許文献１参照）。この空気調和機では、吹出しダクトの正面に多数の小孔が設けられており、吹出しダクトの内部を通る温かい空気が吹出しダクトの小孔から室内の居住空間へ向けて吹き出される。このような従来の空気調和機によれば、室内の床面へと温かい空気を送ることができると共に、温かい空気の一部は正面の小孔から室内へと流れる。このため、部屋全体がよく温まり、快適な暖房が行われる。
【特許文献１】実開平２−１００１６７号公報
【発明の開示】
【発明が解決しようとする課題】
【０００３】
しかし、上記のような従来の空気調和機によっても、床面近傍に冷気が滞留し足元の暖房が十分ではない場合がある。すなわち、外気温度が低い冬などには、室内の窓近傍において冷気が発生し易い。例えば、窓が外気によって冷やされて室内の空気と熱交換が行われる場合や、窓の隙間から冷たい外気が侵入する場合などがある。このような場合、従来の空気調和機によっても、窓から生じる冷気が床面に滞留することによって居住者等の足元が冷やされ、快適な暖房を行うことが困難となる。
【０００４】
本発明の課題は、暖房時において、室内の窓から生じる冷気を緩和して快適な暖房を行うことができる空気調和機を提供することにある。
【課題を解決するための手段】
【０００５】
請求項１に記載の空気調和機は、輻射部と送風部とを備える。輻射部は、室内の窓近傍に窓に沿って略鉛直方向に延設され、温かい第１空気が流れる内部空間を有し、輻射によって室内の暖房を行う。送風部は、輻射部の内部空間へと第１空気を送る。また、輻射部は、少なくとも一部が所定の輻射率を有する繊維系材料によって形成されており、複数の凸部を表面に有する。複数の凸部は、上記の繊維系材料によって形成されており、略鉛直方向に延び所定の間隔を隔てて並設される。
【０００６】
請求項２に記載の空気調和機は、請求項１に記載の空気調和機であって、凸部は、輻射部の窓側と室内側との両面に設けられる。
【発明の効果】
【０００７】
請求項１に係る空気調和機では、内部空間を流れる第１空気によって、凸部と凸部との間の空間にある空気が温められる。すると、煙突効果によって、凸部と凸部との間の空間に沿って上昇する空気の流れが生じる。そして、この空気の流れによって、室内の下方に滞留している冷気が持ち上げられる。このため、室内の下方に滞留する冷気が低減される。これにより、この空気調和機では、窓から生じる冷気を緩和して快適な暖房を行うことができる。また、この空気調和機では、輻射部の少なくとも一部および凸部が、所定の輻射率を有する繊維系材料によって形成される。このため、輻射部の内部空間を流れる空気によって輻射部が温められることによって、輻射部において輻射が生じる。また、内部空間を流れる第１空気の内圧によって、輻射部の繊維の隙間から、温かい第１空気が穏やかに吹き出す。これにより、この空気調和機では、輻射と穏やかな空気の吹出しと両方によって室内の暖房を行うことができる。従って、ドラフトによる不快感が低減されたより快適な暖房を行うことができる。
【０００８】
請求項２に係る空気調和機では、輻射部の窓側と室内側との両方において凸部と凸部との間の空間に沿って上昇する空気の流れが生じる。そして、この空気の流れによって、室内の下方に滞留している冷気が持ち上げられる。このため、室内の下方に滞留する冷気が低減される。これにより、この空気調和機では、窓から生じる冷気を緩和して快適な暖房を行うことができる。
【発明を実施するための最良の形態】
【０００９】
＜第１参考例＞
［全体構成］
本発明の第１参考例にかかる空気調和機１ａを図１に示す。この空気調和機１ａは、後述する本発明の実施形態に係る空気調和機１ｃと多くの構成を共通にしており、参考としてその構成を以下に説明する。
【００１０】
この空気調和機１ａは、一般家庭の室内Ｒの空気調和を行う空気調和機であり、室内機２と室外機３と輻射パネル組立体５ａとを備えている。室内Ｒには、床面ＦＬおよび天井面ＣＬが設けられており、床面ＦＬに対して垂直に窓ＷＤが設けられている。空気調和機１ａは、輻射と温度調整された空気の吹き出しとによって冷暖房等の室内Ｒの空気調和を行うことができる。なお、図１では、理解の容易のため、空気調和機１ａの一部が断面図として示されている。
【００１１】
室外機３は、室外に配置され、図２に示すように、圧縮機３１、四路切換弁３２、電動弁３３、室外ファン（図示せず）、室外ファンモータ３４、室外機温度センサ３５、室外熱交換器（図示せず）等を備えている。
【００１２】
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００１３】
室内機２は、図１に示すように、室内Ｒの天井面ＣＬ近傍の側壁に配置され、室内機ケーシング２１、室内熱交換器２２、第１室内ファン２３、第１室内ファンモータ２４（図２参照）、室内機温度センサ２５（図２参照）などを備えている。
【００１４】
室内機ケーシング２１は、室内熱交換器２２や第１室内ファン２３等を内部に収納しており、吸込み口２６、接続口２７などを備えている。吸込み口２６は、室内Ｒから室内機ケーシング２１内へと取り入れられる空気が通る開口である。接続口２７は、室内機ケーシング２１内で室内熱交換器２２を通って輻射パネル組立体５ａへと送られる空気が通る開口であり、後述する輻射パネル組立体５ａの空気取入れ口５１ａに接続される。
【００１５】
室内熱交換器２２は、室外熱交換器や圧縮機３１等と冷媒配管４を介して接続されている。室内熱交換器２２は、通過する空気との間で熱交換を行うことによって、空気の温度調整を行う。
【００１６】
第１室内ファン２３は、第１室内ファンモータ２４によって回転駆動され、調和された空気の流れを生成する。調和された空気の流れは、室内Ｒから取り込まれ輻射パネル組立体５ａへと送られる空気流である。この調和された空気は、吸込み口２６から室内機ケーシング２１の内部に取り込まれ、室内熱交換器２２、接続口２７および空気取入れ口５１ａを通って輻射パネル組立体５ａの内部の圧力発生空間ＰＳ（図３参照）へと到る。
【００１７】
室内機温度センサ２５には、室内熱交換器の温度や室内空気の温度等を検出する各種の温度センサが含まれる。
【００１８】
輻射パネル組立体５ａは、平板状の外形を有しており、天井面ＣＬの近傍から室内Ｒの窓ＷＤに沿って鉛直方向下向きに床面ＦＬ近傍まで延設されている。輻射パネル組立体５ａは、室内機２によって温度調整された空気の温度を利用した輻射と温度調整された空気の吹出しとによって、冷暖房等の空気調和を行う。輻射パネル組立体５ａの構成については、後に詳細に説明する。
【００１９】
また、空気調和機１ａは、制御部６を備えている。制御部６は、室外機３と室内機２とに分かれて設けられており、空気調和機１ａの運転制御を行う。制御部６は、図２に示すように、圧縮機３１、四路切換弁３２、電動弁３３、室外ファンモータ３４、室外機温度センサ３５、第１室内ファンモータ２４、室内機温度センサ２５などの構成部品と接続されている。制御部６は、リモコン７０から運転指令を受けると、各構成部品を制御して空気調和機１ａの運転制御を行う。
【００２０】
［輻射パネル組立体の構成］
図３に輻射パネル組立体５ａの外観図を示す。
【００２１】
輻射パネル組立体５ａは、薄い平板状の外形を有しており、平面的な形状となっている。輻射パネル組立体５ａは、窓ＷＤに略平行に窓ＷＤの近傍に配置される。輻射パネル組立体５ａは、輻射パネル本体７ａおよび仕切り部材９ａとを備えている。
【００２２】
〈輻射パネル本体〉
輻射パネル本体７ａは、室内Ｒの窓ＷＤの近傍に窓ＷＤに沿って略鉛直方向に延設されており、輻射と空気の吹出しとによって室内Ｒの空気調和を行う。輻射パネル本体７ａは、室内機２が設けられた天井面ＣＬ近傍から床面ＦＬ近傍に達するまで延設されており、室内Ｒの鉛直方向に幅広く暖房又は冷房を行うことができる。輻射パネル本体７ａは、空気取入れ口５１ａ、第１面５４ａ、第２面５５ａ、２つの側面５６ａおよび下面５７ａを有し、薄い平板状の形状を有する。輻射パネル本体７ａは、空気によって大気圧より大きな圧力が生じる圧力発生空間ＰＳを内部に構成する。圧力発生空間ＰＳには、室内機２によって調和された空気が通り、圧力発生空間ＰＳに生じる内圧によって輻射パネル本体７ａの表面から調和された空気が吹出す。
【００２３】
空気取入れ口５１ａは、温度調整された空気を取り入れる部分であり、輻射パネル本体７ａの上面部分に設けられた開口である。空気取入れ口５１ａは、室内機ケーシング２１の接続口２７に脱着自在に接続され、第１室内ファン２３によって送られる空気（白抜き矢印Ａ１参照）が通過する。なお、空気取入れ口５１ａは、既存の対流型空気調和機の吹出し口に接続可能な構造となってもよい。さらに、この空気取入れ口５１ａと対流型空気調和機の吹出し口とは着脱自在となってもよい。
【００２４】
第１面５４ａは、四角形の薄いシート状の形状を有しており、圧力発生空間ＰＳの側方を閉じる。第１面５４ａは、室内Ｒの窓ＷＤとは反対側に位置しており、窓ＷＤと略平行に配置されている。また、第１面５４ａは、約０．９の輻射率を有する織布によって形成されている。従って、第１面５４ａが圧力発生空間ＰＳを流れる空気によって温度調整されると、熱輻射又は冷輻射が第１面５４ａから室内Ｒの居住空間へ向けて放射される。また、圧力発生空間ＰＳにおいて生じる内圧によって、調和された空気が、第１面５４ａの繊維の隙間から室内Ｒの居住空間へと吹き出る。
【００２５】
第２面５５ａは、第１面５４ａと同様の形状を有しており、第１面５４ａと同様の織布によって形成されている。第２面５５ａは、圧力発生空間ＰＳを隔てて第１面５４ａと対向しており、圧力発生空間ＰＳの側方を閉じる。第２面５５ａは、窓ＷＤ側に窓ＷＤに略平行に配置されている。従って、圧力発生空間ＰＳにおいて生じる内圧によって、調和された空気が、第２輻射面５５ａの繊維の隙間から窓ＷＤ側へと吹き出る。また、第２輻射面５５ａが圧力発生空間ＰＳ内の空気によって温度調整されることによって、窓ＷＤ側へ向けて熱輻射又は冷輻射が生じる。
【００２６】
２つの側面５６ａは、細長い長方形の形状を有しており、圧力発生空間ＰＳの側方を閉じる。下面５７ａも細長い長方形の形状を有しており、圧力発生空間ＰＳの下方を閉じる。また、２つの側面５６ａおよび下面５７ａは、第１面５４ａと同じ織布で形成されている。
【００２７】
以上のように、輻射パネル本体７ａは、空気取入れ口５１ａを除いて閉じられた袋状の形状を有している。
【００２８】
〈仕切り部材〉
仕切り部材９ａは、調和された空気が通る複数の部屋に圧力発生空間ＰＳを仕切っている。仕切り部材９ａは、圧力発生空間ＰＳの空気の流れ方向（白抜き矢印Ａ１参照）に平行に配置されており、一端が第１面５４ａに固定され他端が第２面５５ａに固定される。このため、仕切り部材９ａは、第１面５４ａと第２面５５ａとの間の距離を一定に保持することができる。従って、仕切り部材９ａは、圧力発生空間ＰＳに大気圧より大きな圧力が生じた場合に、輻射パネル本体７ａが膨張することを抑えることができる。すなわち、仕切り部材９ａは、平板形状の対向する平面間の距離を一定に保持することによって、輻射パネル組立体５ａの外形を平板状の形状に保持することができる。
【００２９】
［空気調和機の運転動作］
〈暖房運転〉
次に、この空気調和機１ａによって室内Ｒの空気調和を行う場合の運転動作について説明する。
【００３０】
暖房運転時には、室内熱交換器２２が凝縮器として機能して、通過する空気を加熱する。温められた空気（以下、「第１空気」という）は、図４に示すように、接続口２７および空気取入れ口５１ａを通って、輻射パネル本体７ａ内の圧力発生空間ＰＳへと送られる（実線矢印Ａ１参照）。第１空気が圧力発生空間ＰＳに送られると、大気圧より大きな正の静圧が圧力発生空間ＰＳに生じる。すなわち、窓ＷＤに平行に流れる空気の流れ（実線矢印Ａ１参照）に対して垂直な方向に大気圧より大きな圧力が生じる。このため、温かい第１空気が、輻射パネル本体７ａの織布の繊維の隙間から押し出され、室内Ｒへと穏やかに吹き出される（実線矢印Ａ２参照）。特に、第１面５４ａから吹き出る第１空気は、窓ＷＤとは反対側、すなわち室内Ｒの居住空間側へと吹き出される。また、第２面５５ａから吹き出る第１空気は、窓ＷＤ側へと吹き出される。また、輻射パネル本体７ａは、温かい第１空気と接触することによって、加熱される。このため、輻射パネル本体７ａから熱輻射が生じる（破線矢印Ａ３参照）。特に、第１面５４ａから生じる熱輻射は、窓ＷＤとは反対側、すなわち室内Ｒの居住空間側へと放射される。また、第２面５５ａから生じる熱輻射は、窓ＷＤ側へと放射される。
【００３１】
このように、この空気調和機１ａでは、輻射パネル本体７ａの繊維の隙間からの穏やかな吹出しと、輻射パネル本体７ａの熱輻射とによって、室内Ｒの暖房が行われる。すなわち、輻射パネル本体７ａのうち第１面５４ａからの温かい第１空気の吹出しと熱輻射とによって、居住空間が穏やかに温められる。また、第２面５５ａからの温かい第１空気の吹出しと熱輻射とによって、窓ＷＤから生じる冷気（実線矢印Ａ４，Ａ５参照）が緩和あるいは除去される。
【００３２】
〈冷房運転〉
冷房運転時には、室内熱交換器２２が、蒸発器として機能して、通過する空気から熱を奪う。第１室内ファン２３によって吸込み口２６から室内機ケーシング２１内に取り込まれた室内Ｒの空気は、室内熱交換器２２を通過する際に熱を奪われて冷却される。この冷却された空気は、接続口２７および空気取入れ口５１ａを通って、輻射パネル本体７ａ内の圧力発生空間ＰＳへと送られる。空気が圧力発生空間ＰＳに送られると、冷却された空気が、輻射パネル本体７ａの織布の繊維の隙間から押し出され、室内Ｒへと穏やかに吹き出される。また、輻射パネル本体７ａは、冷却された空気と接触することによって、冷却される。このため、輻射パネル本体７ａから冷輻射が生じる。このように、この空気調和機１ａでは、輻射パネル本体７ａの繊維の隙間からの穏やかな吹き出しと、輻射パネル本体７ａの冷輻射とによって、室内Ｒの冷房が行われる。
【００３３】
［特徴］
（１）
従来、食品工場等でよく利用されている吹出しダクトは、冷房運転を主として想定しており、暖房運転についてはあまり考慮されていない。従って、従来の吹出しダクトのように天井面近傍に配置される吹出しダクトでは、冷房時においては天井面から冷気が落ちてくるため、頭寒足熱の快適な環境が実現される。しかし、暖房時においては、暖気は軽い空気であるために床面まで届き難い。従って、暖気を床面へと到達させるためには、大きな風速が必要となる。しかし、そのような大きな風速で暖気が床面へ向けて吹き出される場合、居住者等は、温風が直接に当たることによって不快感を感じ易くなる。また、小さな風速で暖気が吹き出される場合、床面近傍が暖まり難く、快適な環境を実現することは困難である。
【００３４】
特に、一般家庭においては、暖房シーズンには、外気によって冷やされた窓ＷＤとの熱交換によって室内Ｒの窓ＷＤ近傍から冷気が生じる（図４の実線矢印Ａ４参照）。また、窓ＷＤからの隙間風によっても窓ＷＤ近傍から冷気が生じる（（図４の実線矢印Ａ５参照）。そして、このような冷気は、窓ＷＤに沿って下降し床面ＦＬ付近に滞留し易やすい。床面ＦＬ付近に冷気が滞留すると、足元が寒くなり居住者等が不快感を感じ易くなる。
【００３５】
この空気調和機１ａでは、輻射パネル組立体５ａが床面ＦＬに垂直に窓ＷＤの前に配置されている。そして、暖房時には、輻射パネル本体７ａの第２面５５ａからの温かい第１空気の吹出しと熱輻射とによって、窓ＷＤ付近から生じる冷気が緩和あるいは除去される。このため、暖房時において、床面ＦＬの冷気が減らされて足元の寒さが緩和される。
【００３６】
また、この空気調和機１ａでは、第１面５４ａからの第１空気の吹出しと熱輻射とによって、居住空間が穏やかに暖められる。このため、空気調和機１ａからの風が居住者等に当たることが抑えられ、ドラフトによる不快感が低減する。
【００３７】
さらに、この空気調和機１ａでは、暖房時の風が低減されるため、床面ＦＬ等の埃が舞い上がることが少なくなる。このため、暖房時において、埃による室内空気の汚染を減らすことができる。
【００３８】
このように、この空気調和機１ａでは、居住者等に対して不快感を与えることが少なく、快適な暖房を行うことができる。
【００３９】
（２）
外気の温度が低い冬には、窓ＷＤが外気によって冷やされることによって、窓ＷＤにおいて結露が生じることがある。
【００４０】
この空気調和機１ａでは、温かい第１空気が輻射パネル本体７ａの第２面５５ａから窓ＷＤ側へと吹き出される。このため、窓ＷＤが第１空気によって温められ、窓ＷＤでの結露の発生を防止することができる。
【００４１】
（３）
輻射パネル本体７ａが織布などの柔軟な材料で形成されている場合には、圧力発生空間ＰＳを通る第１空気の内圧によって、輻射パネル本体７ａが膨張し易く輻射パネル本体の平板状の外形を維持することが困難である。
【００４２】
しかし、この輻射パネル組立体５ａでは、仕切り部材９ａによって、輻射パネル本体７ａの外形が膨張することが抑えられる。このため、この輻射パネル組立体５ａでは、輻射パネル本体７ａの外形を維持することができる。
【００４３】
（４）
なお、窓ＷＤから生じる冷気の緩和や窓ＷＤにおける結露発生を防止する効果については、少なくとも第２面５５ａから温かい第１空気が吹き出せばよく、必ずしも輻射パネル本体７ａの他の部分から第１空気が吹き出さなくてもよい。
【００４４】
また、窓ＷＤから生じる冷気の緩和や窓ＷＤにおける結露発生の防止のために、図５に示すように、輻射パネル本体７ａの第２面５５ａの下端近傍に吹出し口５８が設けられてもよい。この吹出し口５８は、窓ＷＤ側へ吹き出る第１空気が通る開口である。この吹出し口５８から温かい第１空気が吹き出ることによっても、窓ＷＤから生じる冷気が床面ＦＬに滞留することを抑えることができる（白抜き矢印Ａ６参照）。なお、冷気の緩和や結露発生の防止のためには、この吹出し口５８からの吹出しと第２面５５ａからの吹出しが併用されることがより効果的であるが、吹出し口５８からの吹出しのみが行われてもよい。
【００４５】
＜第２参考例＞
［構成］
本発明の第２参考例にかかる空気調和機１ｂを図６に示す。
【００４６】
この空気調和機１ｂでは、室内機２に、室内機吹出し口２８が設けられている。室内機吹出し口２８は、接続口２７と室内機２の背面との間に設けられている。室内機吹出し口２８は、室内機ケーシング２１内で室内熱交換器２２を通って、輻射パネル組立体５ｂと窓ＷＤとの間に送られる空気が通る開口である。
【００４７】
室内機２は、暖房時には、輻射パネル本体７ｂの圧力発生空間ＰＳへと温かい第１空気を送ると共に、室内機吹出し口２８から温かい第２空気を床面ＦＬへ向けて吹き出す。第２空気は、室内Ｒから取り込まれ輻射パネル組立体５ｂと窓ＷＤとの間へと送られる。すなわち、第２空気は、吸込み口２６から室内機ケーシング２１の内部に取り込まれ、室内熱交換器２２、室内機吹出し口２８、輻射パネル組立体５ｂと窓ＷＤとの間を通って、床面ＦＬ近傍へと到る。
【００４８】
他の構成ついては、第１参考例にかかる空気調和機１ａと同様である。
【００４９】
［特徴］
（１）
この空気調和機１ｂでは、室内機２の室内機吹出し口２８から室内熱交換器２２によって温められた第２空気が吹き出される。吹き出された第２空気は、輻射パネル本体７ｂの第２面５５ｂに沿って輻射パネル本体７ｂと窓ＷＤとの間を通り、床面ＦＬ近傍へと到達する（実線矢印Ａ７参照）。
【００５０】
この空気調和機１ｂでは、輻射パネル組立体５ｂと窓ＷＤとの間が通風経路として利用されており、温かい第２空気が輻射パネル組立体５ｂと窓ＷＤとの間を通って床面ＦＬへと容易に到達することができる。このため、窓ＷＤから生じる冷気（実線矢印Ａ４，Ａ５参照）が第２空気によって緩和あるいは除去される。このため、冷気が床面ＦＬ近傍に滞留することが抑えられる。
【００５１】
また、第２空気は、輻射パネル本体７ｂと窓ＷＤとの間を通るため、第２空気の吹出しによる風が居住者等に直接に当たることが低減される。従って、この空気調和機１ｂでは、ドラフトによる不快感を低減することができる。
【００５２】
さらに、この空気調和機１ｂでは、天井面ＣＬ近傍から床面ＦＬへ向けて直接に温風を吹き出す空気調和機と比べて、より少ない風速で床面ＦＬへと温かい第２空気を到達させることができる。従って、この空気調和機１ｂでは、ドラフトによる不快感をより低減することができる。
【００５３】
以上のように、この空気調和機１ｂでは、より快適な暖房を行うことができる。
【００５４】
（２）
この空気調和機１ｂでは、窓ＷＤ近傍が第２空気によって温められることによって、第１参考例にかかる空気調和機１ａと同様に、窓ＷＤでの結露を防止することができる。
【００５５】
（３）
なお、第２面５５ｂからの第１空気の吹出しや第２面５５ｂからの輻射が第２空気の吹出しと共に併用されることによって、上記の効果がより顕著に発揮されるが、第２空気の吹出しのみによっても上記の効果を奏することができる。
【００５６】
＜本発明の実施形態＞
［構成］
本発明の一実施形態にかかる空気調和機１ｃ（図８（ｂ）参照）が備える輻射パネル組立体５ｃを図７（ａ）および図７（ｂ）に示す。なお、図７（ｂ）は、図７（ａ）におけるＢ−Ｂ断面である。
【００５７】
この輻射パネル組立体５ｃは、複数の凸部５９を有する。凸部５９は、第１面５４ｃおよび第２面５５ｃにそれぞれ複数個が設けられている。第１面５４ｃに設けられている凸部５９は、第１面５４ｃから窓ＷＤの反対側へと突出している。第２面５５ｃに設けられている凸部５９は第２面５５ｃから窓ＷＤ側へと突出している。また、凸部５９は、輻射パネル組立体５ｃの下端から上端近傍まで略鉛直方向に延設されており、鉛直方向に長い形状を有している。凸部５９は、所定の間隔を隔てて並設されている。従って、各凸部５９の間には、略鉛直方向に延びる溝状の凹部６０が形成されている。なお、凸部５９は、第１面５４ｃや第２面５５ｃと同様の織布によって形成されている。
【００５８】
他の構成については第１参考例にかかる空気調和機１ａと同様である。
【００５９】
［特徴］
（１）
この空気調和機１ｃでは、暖房時において、輻射パネル構造体５ｃの凸部５９が温かい第１空気によって温められることによって、ラジエータのように煙突効果による自然対流が発生する。この自然対流は、床面ＦＬ近傍から各凸部５９の間の凹部６０を通って上昇する空気の流れである（図８（ａ）および図８（ｂ）の実線矢印Ａ８参照）。このため、窓ＷＤから生じて床面ＦＬ近傍へと滞留する冷気（図８（ｂ）の実線矢印Ａ４，Ａ５参照）が床面ＦＬから吸い上げられ、温められて天井ＣＬ近傍まで持ち上げられる。このため、窓ＷＤから生じて床面ＦＬ近傍に滞留する冷気が緩和あるいは除去される。これにより、この空気調和機１ｃでは、快適な暖房を行うことができる。
【００６０】
また、この空気調和機１ｃでは、室内Ｒへと直接に空気が吹き出される場合と比べて、送風音が小さくて静かである。
【００６１】
（２）
なお、第２面５５ｃからの第１空気の吹出しや熱輻射が併用されることによって、快適な暖房を行う効果がより顕著に現れるが、第２面５５ｃからの第１空気の吹出しや熱輻射が行われない場合であっても、上記の自然対流の発生による冷気の緩和の効果を奏することができる。
【００６２】
＜第３参考例＞
［構成］
本発明の第３参考例にかかる空気調和機１ｄを図９に示す。
【００６３】
この空気調和機１ｄの輻射パネル組立体５ｄでは、輻射パネル本体７ｄが透明あるいは半透明な材料で形成されている。すなわち、輻射パネル本体７ｄの第１面５４ｄおよび第２面５５ｄが透明あるいは半透明な織布によって形成されている。
【００６４】
他の構成については、第１参考例にかかる空気調和機１ａと同様である。
【００６５】
［特徴］
（１）
一般に、輻射パネル組立体が窓ＷＤを覆うと、室外の光が輻射パネル組立体によって遮られて、室内Ｒが暗くなる恐れがある。また、輻射によって室内の冷暖房を行う場合には、輻射が生じる部分の面積すなわち第１面５４ｄの面積を大きくすることが望ましいが、第１面５４ｄの面積が大きくなるほど窓ＷＤを覆う面積が大きくなり、室内Ｒが暗くなる恐れが高くなる。
【００６６】
この空気調和機１ｄでは、第１面５４ｄおよび第２面５５ｄが透明または半透明な織布によって形成されている。このため、窓ＷＤから差し込む室外の光は、第１面５４ｄおよび第２面５５ｄを透過して室内Ｒの居住空間へと到達することができる（破線矢印Ａ９参照）。このため、この空気調和機１ｄでは、昼間でも室内が暗くならず、且つ、大きな輻射面積を確保することができる。
【００６７】
（２）
第１面５４ｄおよび第２面５５ｄを構成する材料としては、例えば、ポリエチレンが考えられる。このような透明な材料であっても、ある程度の厚さを有することによって輻射の放射が可能である。従って、十分に室内Ｒの暖房を行うことができる。
【００６８】
（３）
なお、輻射パネル本体７ｄの全部が透明または半透明であるのではなく、その一部が透明または半透明であってもよい。
【００６９】
また、本参考例の内容が実施形態にかかる空気調和機１ｃに対して適用されてもよい。
【００７０】
＜他の実施形態＞
（１）
上記の実施形態では、輻射パネル本体７ａ−７ｄは平板状の形状を有しているが、円筒形状など他の形状を有するものであってもよい。ただし、平板状の輻射パネル本体の方が、輻射や吹出しが行われる部分の面積を大きくすることが容易であり、快適な冷暖房をより効率よく行うことができる。
【００７１】
（２）
上記の実施形態では、室内Ｒの空気が室内機ケーシング２１に取り込まれて輻射パネル組立体５ａ−５ｄへと送られているが、室外から取り込んだ空気が輻射パネル組立体５ａ−５ｄへと送られてもよい。
【００７２】
また、上記の実施形態では、室内機ケーシング２１の接続口２７に輻射パネル組立体５ａ−５ｄが接続されているが、空気が吹き出るダクト出口が室内Ｒの側壁や天井面ＣＬ等に直接に設けられている場合には、輻射パネル組立体５ａ−５ｄがダクト出口に接続されてもよい。
【００７３】
（３）
上記の実施形態では、輻射パネル本体７ａ−７ｄの材料として織布が使用されているが、織布以外の繊維系材料が使用されてもよい。
【００７４】
（４）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も輻射による室内Ｒの温度調整は可能である。
【産業上の利用可能性】
【００７５】
本発明は、暖房時において、室内の窓から生じる冷気を緩和して快適な暖房を行うことができる効果を有し、空気調和機として有用である。
【図面の簡単な説明】
【００７６】
【図１】第１参考例にかかる空気調和機を示す図。
【図２】空気調和機の制御ブロック図。
【図３】輻射パネル組立体の構成を示す図。
【図４】暖房時における空気の吹出しと熱輻射とを示す図。
【図５】第１参考例にかかる空気調和機の変形例を示す図。
【図６】第２参考例にかかる空気調和機を示す図。
【図７】（ａ）本発明の実施形態にかかる空気調和機の輻射パネル組立体の正面図。（ｂ）図７（ａ）のＢ−Ｂ断面図。
【図８】（ａ）暖房時における空気の流れを示す輻射パネル組立体の正面図。（ｂ）暖房時における空気の流れを示す輻射パネル組立体の側面図。
【図９】第３参考例にかかる空気調和機を示す図。
【符号の説明】
【００７７】
１ｃ    空気調和機
２      室内機（送風部）
５ｃ    輻射パネル組立体（輻射部）
５９    凸部
ＰＳ    圧力発生空間（内部空間）
Ｒ      室内
ＷＤ    窓
【図１】
2008139016.tif 000003
【図２】
2008139016.tif 000004
【図３】
2008139016.tif 000005
【図４】
2008139016.tif 000006
【図５】
2008139016.tif 000007
【図６】
2008139016.tif 000008
【図７】
2008139016.tif 000009
【図８】
2008139016.tif 000010
【図９】
2008139016.tif 000011